(57)【特許請求の範囲】
【請求項１】
濾過ユニットの仕切に取付けるためのフィルタ・カセット組立体であって、前記仕切りは、該仕切りを貫通する開口を有し、及び前記濾過ユニットの汚染空気側から清浄空気側を隔離する平面を画定しており、該フィルタ・カセット組立体が、フィルタ・カセットと、取付フランジ延長部とを具備しており、
ａ．前記フィルタ・カセットは、フレームと、濾材プリーツ・パックと、上流端部と、下流端部と、前記濾材プリーツ・パックに結合された取付フレームであって該フィルタ・カセットの上流端部に隣接する取付フレームとを有しており、前記取付フレームは、前記フィルタ・カセットを取り付けるようにされた取付面を有しており、
ｂ．前記取付フランジ延長部は、永久的に又は取り外し可能に前記仕切に取り付けられていて、前記濾過ユニットの前記仕切と前記フィルタ・カセットの前記取付フレームとの間に延在するように配設可能であり、前記取付フランジ延長部は、前記仕切の取付面への取付けのための第１取付面と、前記フィルタ・カセットの取付フレームへの取付けのための第２取付面とを有しており、
前記取付フランジ延長部は、該取付フランジ延長部の前記第１取付面が、前記仕切の前記取付面に取付けられて、前記取付フレームの前記取付面が該取付フランジ延長部の第２取付面に取り付けられたとき、前記濾材プリーツ・パックが前記取付フランジ延長部及び前記仕切の前記開口を貫いて延在して、前記濾材プリーツ・パックの一部が前記仕切の平面に関して前記濾過ユニットの清浄側に位置決めされるとともに、前記濾材プリーツ・パックの他の一部が前記仕切の平面に関して前記濾過ユニットの汚染側に位置決めされるのに十分な奥行きを有する、フィルタ・カセット組立体。
【請求項２】
前記取付フランジ延長部が１００ｍｍを上回る離隔距離を提供する、請求項１に記載のフィルタ・カセット組立体。
【請求項３】
前記取付フランジ延長部が、前記フィルタ・カセットの前記取付フレームから前記仕切の前記汚染側までの１００ｍｍを上回る離隔距離を提供し、前記離隔距離は前記フィルタ・カセットの全長の少なくとも１０％である、請求項１に記載のフィルタ・カセット組立体。
【請求項４】
前記濾材プリーツ・パックの平にしたシート面積は２５ｍ2を上回り、前記仕切の平面に関して前記濾過ユニットの清浄側内へ延びる前記フィルタ・カセットの長さは２５０ｍｍ未満である、請求項１に記載のフィルタ・カセット組立体。
【請求項５】
前記取付フランジ延長部は前記フィルタ・カセットの前記取付フレームから前記仕切の前記汚染側までの離隔距離を提供し、前記離隔距離は前記フィルタ・カセットの全長の少なくとも２５％である、請求項１に記載のフィルタ・カセット組立体。
【請求項６】
前記フィルタ・カセットが、ＥＮ１８２２−１−１９９８に基づくフィルタ・クラスＨ１１又はこれを上回る除去効率クラスを有している、請求項４に記載のフィルタ・カセット組立体。
【請求項７】
前記濾材プリーツ・パックの平にしたシート面積は３２ｍ2を上回り、前記仕切の平面に関して前記濾過ユニットの清浄側内へ延びる前記フィルタ・カセットの長さは３５０ｍｍ未満である、請求項１に記載のフィルタ組立体。
【請求項８】
カセット・フィルタ型のフィルタを設置する方法であって、前記カセット・フィルタが、濾過ユニットの仕切に取り付けるように設けられた取付フレームに結合された濾材プリーツ・パックを含み、前記取付フレームが、前記カセット・フィルタの入口側に隣接しており、
ａ．前記仕切に、取外し可能な取付フランジ延長部を取り付ける段階；及び
ｂ．前記取外し可能な取付フランジ延長部に、前記カセット・フィルタの取付フレーム及び結合された濾材プリーツ・パックを取り付ける段階、を含んでおり、
前記取り外し可能な取付フランジ延長部は、前記濾材プリーツ・パックが前記フランジ延長部及び前記仕切の開口を貫いて延在し、前記濾材プリーツ・パックの一部を前記濾過ユニットの前記仕切の清浄側に位置決めするとともに、前記濾材プリーツ・パックの他の一部を前記濾過ユニットの前記仕切の汚染側に位置決めするのに十分な深さを有しており、前記取付フランジ延長部は、前記フィルタ・カセットの前記取付フレームから前記仕切の前記汚染側までの離隔距離を提供し、前記離隔距離は前記フィルタ・カセットの全長の少なくとも１０％である、カセット・フィルタ型のフィルタを設置する方法。
【請求項９】
前記濾材プリーツ・パックはＶ字傾斜型のフィルタ・カセットを含む、請求項１に記載のフィルタ・カセット組立体。
【請求項１０】
前記Ｖ字傾斜型のフィルタ・カセットは、入口端部及び出口端部を有する該フィルタ・カセット内に配設された連続的な濾材を有する、請求項９に記載のフィルタ・カセット組立体。
【請求項１１】
前記濾材プリーツ・パックの平にしたシート面積は２５ｍ2を上回り、前記仕切の平面に関して前記濾過ユニットの清浄側内へ延びる前記フィルタ・カセットの長さは２５０ｍｍ未満である、請求項９に記載のフィルタ・カセット組立体。
【請求項１２】
前記Ｖ字傾斜型のフィルタ・カセットは、複数のＶ字傾斜を備えており、前記複数のＶ字傾斜の各々は、前記フィルタ・カセットの前記下流端部で気密に結合された二つの隣接する濾材プリーツ・パックを含んでおり、前記複数のＶ字傾斜の隣接するものは、前記フィルタ・カセットの前記上流端部で気密に結合されている、請求項９に記載のフィルタ・カセット組立体。
【請求項１３】
前記取付フランジ延長部の前記第１取付面が前記仕切の前記取付面に取り付けられて、前記取付フレームの前記取付面が前記取付フランジ延長部の前記第２取付面に取り付けられたとき、前記フィルタ・カセットの前記上流端部が前記仕切からの第１距離で位置決めされるとともに前記フィルタ・カセットの前記下流端部が前記仕切からの第２距離で位置決めされるように、前記取付フランジ延長部は配設され、前記第１距離及び前記第２距離のそれぞれが前記フィルタ・カセットの全長の１０％よりも大である、請求項１に記載のフィルタ・カセット組立体。
【請求項１４】
前記取付フランジ延長部の前記第１取付面が前記仕切の前記取付面に取り付けられて、前記取付フレームの前記取付面が前記取付フランジ延長部の前記第２取付面に取り付けられたとき、前記フィルタ・カセットの前記上流端部が前記仕切からの第１距離で位置決めされるとともに前記フィルタ・カセットの前記下流端部が前記仕切からの第２距離で位置決めされるように、前記取付フランジ延長部は配設され、前記第１距離及び前記第２距離のそれぞれが前記フィルタ・カセットの全長の２５％よりも大である、請求項１３に記載のフィルタ・カセット組立体。
【請求項１５】
前記取付フランジ延長部は、前記仕切と前記取付フレームとの間で、前記フィルタ・カセットを完全に取り囲んでいる、請求項１に記載のフィルタ・カセット組立体。
【発明の詳細な説明】
【技術分野】
【０００１】
本発明は、空気流から粒子を除去するためのカセット・フィルタに関し、具体的には、濾過ユニットを清浄側と汚染側とに隔離する仕切を有する濾過ユニット内に設置するためのフィルタ組立体に関する。仕切は、カセット・フィルタ組立体が取り付けられた開口を有している。本発明はまた、ガスタービンに入るガス流から粒子を除去するように意図された濾過ユニット内でカセット・フィルタ組立体を使用することに関し、また具体的な用途としてガスタービン自体に関する。しかしながら、本発明は、種々の他の用途、例えば非常用発電機、ガス圧縮機、ＨＶＡＣシステム、及びガス採掘作業などに使用される濾過ユニット内で同様に用いられてもよい。
【背景技術】
【０００２】
上述の用途の共通点は、大量の空気が高い粒子濾過効率で濾過されるのを必要とすることである。いくつかの用途では、単一のカセット・フィルタの濾過能力は１時間当たり１０００ｍ3を上回り、典型的なフィルタ・サイズ６００ｍｍ×６００ｍｍ×３００ｍｍでは、１時間当たり約２，５００ｍ3〜５，０００ｍ3を濾過する。１時間当たり１０，０００ｍ3を上回る、又は１時間当たり５０，０００ｍ3を上回る空気量を濾過するために、多くのカセット・フィルタを並行して使用することがある。このような用途では、「清浄空気区域」と一般に呼ばれる下流体積から、「汚染空気区域」と一般に呼ばれる上流体積を隔離する仕切内に、カセット・フィルタ又はカセットが取り付けられる。仕切は、カセット・フィルタが取り付けられる開口を備えた壁の形態を成すか、或いはカセット・フィルタが取り付けられる複数の開口を画定するラックの形態を成すことにより、汚染空気区域と清浄空気区域との間にほぼ気密な仕切を形成することができる。
【０００３】
多くの装置は、障害物又は設置済みの設備に起因して、濾過ユニットの清浄空気区域におけるスペースが限られている。このような制約は、カセット・フィルタが清浄側内に延びることができる深さを制限し、従ってカセット・フィルタのサイズを制限している。サイズの制限は、フィルタ内に設けることができる濾材の量を制限する。この問題は、既存のフィルタ・システムを変更して高効率の濾材を導入するときに特に深刻である。高効率濾材は、しばしば圧力降下が増大し、既存の濾材を変更するときにフィルタ面積を最大化することが特に重要になる。
【０００４】
カセット・フィルタは典型的には、パネル・フィルタ対がカセット・フィルタの上流端部からカセット・フィルタの下流端部へ延びるＶ字形を形成するように配列された複数のフィルタ・パネルを含んでいる。各フィルタ・パネルは、濾過通路全体に対してほぼ平行に延びる複数の濾材プリーツから成っているので、濾過されるべき空気又はガスは、ほぼまっすぐにプリーツを貫通する。フィルタ・パネルは、ケーシング内に取り付けられていて、フィルタの一方の端部で取付フレームにシーリングされている。取付フレームは、仕切の対応する取付面にカセット・フィルタを取り付けるための取付面を提供するので、カセット・フィルタは、仕切の開口内に延び、そしてこの開口を通って清浄空気区域内に延びる。フィルタ・カセットは、汚染空気区域側からアクセスすることができ、容易に取り外して交換することができる。
【発明の概要】
【課題を解決するための手段】
【０００５】
一つの態様において、仕切に取り付けるためのフィルタ・カセット組立体が提供される。仕切は、濾過ユニットの汚染空気側から清浄空気側を隔離する平面を画定する。フィルタ・カセット組立体は、フレームと、フレーム内部に配置された濾材プリーツ・パックとを有するフィルタ・カセットを含んでおり、フィルタ・カセットは、上流端部と、下流端部と、該フィルタ・カセットの上流端部に隣接する取付フレームとを有しており、前記取付フレームは、フィルタ・カセットを取り付けるようにされた取付面を有しており、フィルタ・カセット組立体はさらに、仕切と取付フレームとの間に配置された取外し可能なフランジ延長部を含んでおり、前記フランジ延長部は、仕切への取付けのための第１取付面と、フィルタ・カセットの取付フレームへの取付けのための第２取付面とを有している。
【０００６】
別の態様では、濾過ユニットが提供される。濾過ユニットは、濾過ユニットの汚染空気側から濾過ユニットの清浄側を隔離する平面を画定する仕切を含み、前記仕切はさらに取付フランジ延長部を含み、濾過ユニットはさらに、フレームと、フレーム内部に配置された濾材プリーツ・パックとを有するフィルタ・カセットを含み、前記フィルタ・カセットは、上流端部と、下流端部と、フィルタ・カセットの上流端部に隣接する取付フレームとを有しており、前記取付フレームは、フィルタ・カセットを取り付けるようにされた取付面を有している。この態様では、仕切のフランジ延長部は、フィルタ・カセット内部に配置された濾材プリーツ・パックの一部が濾過ユニットの清浄側にあって、フィルタ・カセット内部に配置された濾材プリーツ・パックの一部が濾過ユニットの汚染側にあるのに十分な奥行きを有している。
【０００７】
さらに別の態様では、Ｖ字傾斜のカセット・フィルタ型の改善された濾過ユニットが提供される。濾過ユニットは、濾過ユニットの汚染空気側から濾過ユニットの清浄空気側を隔離する平面を画定する仕切と、当該カセット内に連続的な濾材プリーツ・パックが配置されたＶ字傾斜型フィルタ・カセットとを具備し、Ｖ字傾斜型フィルタ・カセットは入口端部と、出口端部と、仕切に取り付けるための取付フレームとを有しており、取付フレームは、Ｖ字傾斜型フィルタ・カセットの入口端部に隣接している。改善は、カセット内部に配置された連続的な濾材プリーツ・パックが一部は濾過ユニットの清浄側に配置されて一部は濾過ユニットの汚染側内部に配置されるように、仕切と取付フレームとの間に配置されたフランジ延長部を具備する。
【０００８】
さらなる態様では、カセット・フィルタ型のフィルタを設置する方法が提供され、前記カセット・フィルタは仕切に取り付けるための取付フレームを含み、前記カセット・フィルタは該カセット・フィルタの入口側に隣接する取付フランジを含む。この方法は、仕切に、取外し可能なフランジ延長部を取り付ける段階、及び取外し可能なフランジ延長部にカセット・フィルタの取付フレームを取り付ける段階を含む。
【０００９】
別の態様では、仕切に取り付けるためのフィルタ・カセット組立体が提供される。仕切は、濾過ユニットの汚染空気側から清浄空気側を隔離する平面を画定する。フィルタ・カセット組立体は、上流端部と、下流端部と、濾材が装着された取付フレームとを含むフィルタ・カセットを含み、取付フレームは、フィルタ・カセットを取り付けるようにされた取付面を有しており、フィルタ・カセット組立体は、カセット上流端部から仕切までの第１距離と、カセット下流端部から仕切までの第２距離とが全長の２５％を上回ってフィルタ・カセットが位置決めされるように、前記取付面と仕切との間に配置された取付フランジ延長部をさらに含む。
【００１０】
別の態様では、仕切に取り付けるためのフィルタ・カセット組立体が提供される。仕切は、濾過ユニットの汚染空気側から清浄空気側を隔離する平面を画定する。フィルタ・カセット組立体は、上流端部と、下流端部と、濾材が装着された取付フレームとを含むフィルタ・カセットを含み、取付フレームは、フィルタ・カセットを取り付けるようにされた取付面を有しており、フィルタ・カセット組立体は、カセット上流端部から仕切までの第１距離と、カセット下流端部から仕切までの第２距離とが全長の１０％を上回ってフィルタ・カセットが位置決めされるように、前記取付面と仕切との間に配置された取付フランジ延長部をさらに含む。
【図面の簡単な説明】
【００１１】
【図１】図１は、カセット・フィルタを示す側面斜視図である。
【図２】図２は、図１のフィルタ・カセットと、本発明の一実施態様に基づくフランジ延長部とを含むカセット・フィルタ組立体を示す図である。
【図３】図３は、カセット・フィルタ組立体を、仕切に設けられている状態で示す図である。
【図４】図４は、図１のカセット・フィルタ組立体を含む別の実施態様のカセット・フィルタ組立体を示す図である。
【発明を実施するための形態】
【００１２】
ここに記載する本発明の実施態様において使用されるカセット・フィルタは、上流端部と下流端部とを有しており、また取付フレームを具備している。濾材プリーツ・パックが取付フレームに装着されており、この取付フレームは、従来技術との関連において前述したように、カセット・フィルタを仕切の開口に取り付けるようにされた取付面を有している。
【００１３】
図１は、仕切６の開口内に取り付けられたカセット・フィルタ１を備えた従来技術のフィルタ集成装置を示している。図示の仕切６は壁の形態を有している。仕切は、カセット・フィルタ１の下流端部１６に位置する汚染空気区域から、カセット・フィルタ１の上流端部１４に位置する清浄空気区域を隔離する平面を画定している。カセット・フィルタ１は、上流から下流へ向かって延びるＶ字傾斜配置を有する複数のフィルタ・プリーツ・パック２から成っている。これらのプリーツ・パック２は、上流端部及び下流端部で交互に相互結合されている。上流端部１４における結合部は取付フレーム８の形態を成している。この取付フレーム８は、その下流側に取付面５を形成するように横方向に突出している。取付面５はフィルタ・パネル・パッケージを取り囲んでいるので、カセット・フィルタ１は、取付フレーム８を介して仕切６にほぼ気密に取り付けることができ、取付面５はシーリング機能を有している。清浄化されるべき空気がカセット・フィルタ１を通過するときには、空気は、取付フレーム８に設けられた開口を通ってカセット・フィルタ１に入り、フィルタ・プリーツ・パック２の上流面側１７から下流面側１８へ、フィルタ・プリーツ・パック２の濾材４を通過し、そしてカセット・フィルタ１からその下流端部１６を通って出る。側壁１０はフィルタ・パネル２の所望のＶ字傾斜配置を維持し、そして清浄化されるべき空気がフィルタ・プリーツ・パック２を強制的に通過するのに必要な強度を提供する。
【００１４】
図１の典型的なカセット・フィルタの長さは約３００ｍｍ又は約４００ｍｍであり、そしてフィルタ・フレームは典型的には５９２ｍｍ×５９２ｍｍ、又は６１０ｍｍ×６１０ｍｍである。フィルタ・フレームの厚さは約２０ｍｍである。典型的には、フィルタ・プリーツ・パック２の三つ又は四つ以上のＶ字傾斜が、フィルタ・カセット内に配列される。
【００１５】
後述のカセット・フィルタ組立体は、取付け位置及び取付け手段の点で、上記従来技術の構造とは異なる。このため、本発明の実施態様を説明するために同じ符号を以後使用する。
【００１６】
図２及び図３はフィルタ組立体の第１実施態様を示す。仕切壁６の開口内にカセット・フィルタ１が取り付けられている。従来技術におけるのと同様に、二つの隣接するフィルタ・プリーツ・パック２が一つのＶ字傾斜を形成している。各Ｖ字傾斜のフィルタ・パネルは、カセット・フィルタの下流端部１６で、例えば好適な注封材料によって気密に結合されている。同様に、二つの隣接するＶ字傾斜のフィルタ・プリーツ・パック２は、カセット・フィルタの上流端部１４で、例えばやはり好適な注封材料によって気密に結合されている。
【００１７】
従来技術とは異なり、取付フランジ延長部１１が設けられている。取付フランジ延長部１１は、フィルタ・カセットに取付面５で結合されている。カセット・フィルタ１は、仕切６がカセット・フィルタ１の上流端部１４と下流端部１６との間に位置するように、仕切壁６の対応する取付面１３に取り付けられている。従来技術のカセット・フィルタと同様に、濾過されるべき空気は、カセット・フィルタ１の汚染空気区域側に位置するフィルタ・プリーツ・パック２の濾材４の上流面側を通過し、そして下流面側のフィルタ・プリーツ・パック２の濾材４から、清浄空気区域内に出ることになる。フィルタ・カセットの全長はＬである。
【００１８】
取付フランジ延長部１１は、フィルタ・カセットの取付フレームと仕切６の汚染側との間に離隔距離Ｄを提供する。所与のフィルタ長さにおいて、取付フランジ延長部によって提供される離隔距離は、フィルタ・カセット１による、濾過ユニットの清浄空気側内への貫入深さを小さくする。従って、従来はユニットの清浄空気側で設計上邪魔となっていた長いフィルタを濾過ユニット内に導入することができる。一つの態様では、取付フランジは、少なくとも１００ｍｍの離隔距離を提供することができ、標準３００ｍｍフィルタの代わりに標準４００ｍｍフィルタを使用するのを可能にする。このことは、それぞれのフィルタ・カセット装置内により多くの濾材を入れるのを可能にするので、顕著な利点を有する。例えば清浄側内へのフィルタ貫入長さが２５０ｍｍ未満で、２５ｍ2を上回る濾材が可能となる。このことは、除去効率が高い濾材が使用されるときに特に有利である。それというのも、そのような濾材は、比較的高い圧力降下によってしばしば特徴付けられるからである。
【００１９】
離隔距離Ｄは好ましくは、フィルタ全長の少なくとも１０％である。より好ましくは、Ｄはフィルタ全長Ｌの少なくとも２５％であり、そして最も好ましくは、Ｄはフィルタ全長Ｌの少なくとも５０％である。一般に、ＤはＬの約８０％未満であるので、連続的なプリーツ付き濾材プリーツ・パックは、濾過システムの清浄側に少なくとも一部が配置され、そして濾過システムの汚染側に一部が配置される。
【００２０】
さらに注目すべきなのは、フランジ延長部１１１は、フィルタ・パネル装置又は仕切壁の開口１５を全体的に取り囲むことが好ましいものの、絶対に必要というわけではない点である。例えば、フィルタ・パネル装置と仕切壁の開口１５とが他の形で密着している場合には、取付フランジ延長部１１は、或る特定の区域内にだけ、例えば主要なトルク力が予測され得るカセット・フィルタの上側及び下側だけに設けられてよい。
【００２１】
別の態様では、取付フランジ延長部１１によって提供される離隔距離は、濾過ユニットの仕切に適合させられてこの仕切に永久的に取り付けられたフランジによって提供することもできる。図４は、仕切６に永久的に取り付けられたフランジ９を示している。フランジ９は、有利には、仕切と同様の材料から構築されてよく、また溶接、接着剤、又は締結ファスナ及びシーラントによって永久的に取り付けられてよい。
【００２２】
濾材プリーツ・パック２の濾材４は、図面に概略的に示すように上流から下流に向かって、プリーツ付けされている。しかしプリーツはいかなる方向に延びていてもよい。例えば、プリーツは上流から下流に向かう方向に対して垂直方向に延びていてもよい。濾材４は、セルロース、又はガラス繊維、又は例えばポリエステル不織布もしくはポリプロピレン不織布のような合成材料を含んでよい。一方が好ましくは膜濾過層であり、他方が前置濾過層である少なくとも二つの重ね合わされた濾過層を有する複合濾材を使用することが特に好ましい。前置濾過層は、ナノ繊維もしくはガラス繊維、例えばスパンボンドのような不織繊維高分子ウェブ、不織布、繊維ガラス、マイクロ繊維ガラス、セルロース又は微孔膜を含んでよい。好ましくは、前置濾過層はメルトブローン・ウェブである。メルトブローンポリマー繊維ウェブ層は、ポリプロピレン、ポリエステル、ポリアミド、ポリ塩化ビニル、ポリメタクリル酸メチル及びポリエチレンを含む種々様々な高分子材料から形成することができる。これらの中では、ポリプロピレンが最も好ましい。典型的には、ウェブを形成するポリマー繊維の直径は、約０．０５μｍ〜約１０μｍ、好ましくは約１μｍ〜約５μｍである。
【００２３】
静電荷を有する高効率層を含むエレクトレット濾材として、少なくとも一つのデプス濾材が形成される。種々の周知の技術を用いて、濾過性能を改善するために、メルトブローン繊維に電荷が与えられる。複合濾材のデプス濾過層の下流には、デプス濾過層を通過した粒子を捕捉することが意図された膜濾過層が配置される。用途の要件に応じて、膜濾過層として種々の微孔性高分子膜を使用することができる。膜濾過層は、次の模範的な材料、即ちニトロセルロース、トリアセチルセルロース、ポリアミド、ポリカーボネート、ポリエチレン、ポリプロピレン、ポリテトラフルオロエチレン、ポリスルホン、ポリフッ化ビニリデン、アクリレートコポリマーから形成することができる。膜濾過層は、液体の通過を防止することができる疎水性材料から好適に形成される。米国特許第７５０１００３号明細書に模範的な濾過材料が記載されている。好ましくは、膜濾過層は、例えばｅＰＴＦＥのような微孔性フルオロポリマー、フッ素化エチレンプロピレン（ＦＥＰ），パーフルオロアルコキシポリマー（ＰＦＡ）、ポリプロピレン（ＰＰ）、ポリエチレン（ＰＥ）又は超高分子量ポリエチレン（ＰＥ−ＵＨＭＷ）である。特に好適なｅＰＴＦＥ膜が米国特許第３９５３５６６号明細書に記載されている。好適な材料に関するさらなる情報のためには、これらの特性及び相応する試験方法が米国特許第３９５３５６６号明細書に言及されている。
【００２４】
提案した組立体によって達成される利点は、カセット・フィルタが清浄空気区域内に貫入する長さを増大させることなしに、濾材の表面積を増大させることができることである。すなわち、本発明によるカセット・フィルタはむしろ、一部が汚染空気区域内に、そして一部が清浄空気区域内に延びている。こうして、既存のカセット・フィルタを、より大きいフィルタ表面積を有する提案したカセット・フィルタと、障害物に邪魔されることなしに交換することができる。
【００２５】
フィルタ表面積が増大する結果、フィルタ圧力損失が減少して寿命が長くなるだろう。なぜならば、濾材単位面積当たりのダスト捕集量が少なくなり、また空気がより低速度で濾材を通過することになるからである。
【図１】
0005612659.tif 000002
【図２】
0005612659.tif 000003
【図３】
0005612659.tif 000004
【図４】
0005612659.tif 000005